(57)【要約】【課題】部品点数が少なくかつ組付けも容易で、コストを低減することのできるケーブル引出部の防水構造および電動機を提供する。【解決手段】ハウジング１の壁面に、ケーブル挿通孔４の長手方向に直交して、この挿通孔４の一部を壁面に開口させる凹部３を形成するとともに、変形可能な材料からなり、その外周部（外径Ｄ）が挿通孔４の凹部側開口４ｃ（開口径ｄ）より大きく、かつ、その中心軸方向の長さＬが凹部３の挿通孔長手方向の開口寸法ｌより大きく形成された筒状パッキン５を、弾性変形させながらこの凹部３の中に嵌め入れ、電動機のケーブル２を、一方の挿通孔４開口より挿入し、このパッキン５の内部を挿通させた後、他方の挿通孔４開口から引き出す。以上の構成により、ブラケットやねじ等を用いることなく、パッキン５をハウジング１に固定しつつ、ケーブル２を締め付けることができる。【選択図】  図１
2005012965.tif 000002
【特許請求の範囲】
【請求項１】
ハウジングに、このハウジングを貫通する挿通孔を形成し、この挿通孔の長手方向中間部に相当する位置のハウジング壁面に、前記挿通孔の長手方向に直交して、当該挿通孔の一部をその壁面に開口させる凹部を形成するとともに、
変形可能な材料からなり、その外周部が前記挿通孔の凹部側開口部より大きく、かつ、その中心軸方向の長さが前記凹部の挿通孔長手方向の開口寸法より大きく形成された筒状パッキンを、変形させながらこの凹部の中に詰め込み、
ケーブルを、一方の挿通孔開口より挿入し、前記筒状パッキンの内部を挿通させた後、他方の挿通孔開口から引き出すことを特徴とするケーブル引出部の防水構造。
【請求項２】
請求項１に記載のケーブル引出部の防水構造を備えることを特徴とする電動機。
【発明の詳細な説明】
【０００１】
【発明の属する技術分野】
本発明は、ハウジング内部に電力や信号等を供給するケーブルを、ハウジング外部に引き出す引出部の防水構造およびこれを備えた電動機に関する。
【０００２】
【従来の技術】
電動機は、その使用される環境により、耐水性を要求される場合がある。例えば、自動車等に搭載される電動機には、跳ね上げられる泥水等の浸入を防止するため、アルミニウム合金等からなる密閉構造のハウジング（ケーシング）が用いられている。
【０００３】
また、電動機は、通常、ハウジングを貫通して設けられたケーブル挿通孔にケーブル（ハーネスあるいは口出線とも言う）を挿通させ、このケーブルを経由して、内部に電力を供給したり、電動機の制御を行なったりしているため、耐水性が要求される電動機においては、この挿通孔のハウジング外側の開口（ケーブルの引出部）も防水構造とする必要が生じる。
【０００４】
図４は、従来の電動機の構造を示す軸方向断面図であり、図５は、この電動機におけるケーブル引出部の防水構造を説明する模式的断面図である。
これらの図に示すように、ケーブル２の引出部における従来の防水構造は、ハウジング１に設けられた挿通孔１４の外側開口部を拡径して段部１４ａを形成するとともに、この段部１４ａの中に、ケーブル２の外径より若干小さな内径を有する略筒状のパッキン（防水栓）１５を配置し、このパッキン１５の内周に前記ケーブル２を挿通した上で、該パッキン１５を固定すべく、ブラケット（押え板）１６を、ねじ１７等でハウジング１に固定する方法が取られている。
【０００５】
また、その他の公知例として、挿通孔の外側開口に円環状のパッキンを嵌め入れた取付座を配置し、パッキン押えとねじによってケーブルの外径を締め付けて防水する方法（特許文献１）、多孔質弾性材料からなる部位を有するパッキンをコップ状の取付座の内部に嵌め入れ、押え板とねじによってケーブルの外径を締め付ける方法（特許文献２）、あるいは、ケーブルの接続部を防水すべく、この接続部の周りに絶縁性の接着剤と絶縁性の封止体を配置する方法（特許文献３）等が考案されている。
【０００６】
【特許文献１】実開昭６３−１６７３６１号公報
【特許文献２】実開平２−３３５７２号公報
【特許文献３】実開平３−７４１１６６号公報
【０００７】
【発明が解決しようとする課題】
しかしながら、以上のような従来のケーブル引出部の防水構造においては、パッキンを固定してケーブルを締め付けるためのブラケットやねじ等が必要であることから、部品点数が多くなってしまうという問題があった。
【０００８】
また、ブラケットのねじ止めは、煩雑で作業工数の増加要因となるばかりでなく、このねじを取り付けるためのねじ穴等を、予めハウジング側に形成する必要があり、電動機のコストアップの要因ともなっていた。
【０００９】
本発明は、上記する課題に対処するためになされたものであり、部品点数が少なくかつ組付けも容易で、コストを低減することのできるケーブル引出部の防水構造および電動機を提供することを目的としている。
【００１０】
【課題を解決するための手段】
前記の目的を達成するために、請求項１に記載のケーブル引出部の防水構造は、ハウジングに、このハウジングを貫通する挿通孔を形成し、この挿通孔の長手方向中間部に相当する位置のハウジング壁面に、前記挿通孔の長手方向に直交して、当該挿通孔の一部をその壁面に開口させる凹部を形成するとともに、変形可能な材料からなり、その外周部が前記挿通孔の凹部側開口部より大きく、かつ、その中心軸方向の長さが前記凹部の挿通孔長手方向の開口寸法より大きく形成された筒状パッキンを、変形させながらこの凹部の中に詰め込み、ケーブルを、一方の挿通孔開口より挿入し、前記筒状パッキンの内部を挿通させた後、他方の挿通孔開口から引き出すことによって特徴づけられる。
【００１１】
すなわち、本発明はケーブル引出部の防水構造において、防水パッキンをケーブル挿通孔の外側開口に配置するのではなく、挿通孔の長手方向中間部となるハウジング厚みの略中央部位にパッキンを配置することにより、所期の目的を達成しようとするものである。
【００１２】
請求項１に記載の発明によれば、ケーブル挿通孔の長手方向中間部に相当する位置のハウジング壁面に、前記挿通孔の長手方向に直交して、当該挿通孔の一部を開口させる凹部を形成し、この凹部の中に配置したパッキンを通してケーブルを引き出すことにより、パッキンの抜け止め（脱落防止）がなされる。
【００１３】
また、前記パッキンは、変形可能な材料を用いて、その外径が凹部形成面における挿通孔の開口径より大きく、かつ、中心軸方向の長さが凹部の挿通孔長手方向の開口寸法より大きな形状に形成されていることから、この凹部の中に詰め込まれた場合、弾性変形によって、パッキンの両端面が凹部形成面にそれぞれ密着するとともに、パッキンの内周面が内部に挿通されたケーブルの外周面に密着して、ハウジング内部への水等の浸入を防止する。
【００１４】
ここで、本発明の電動機は、上記ケーブル引出部の防水構造を備えることを特徴とする。（請求項２）
【００１５】
すなわち、上記の防水構造を備える電動機は、従来必要であったブラケットやねじ等を用いることなく、パッキンをハウジングに固定しつつ、ケーブルを締め付けることができる。従って、本発明の電動機は、ケーブル引出部の防水に必要な部品点数と作業工数を削減することができる。
【００１６】
また、このケーブル引出部の防水構造により、電動機全体としてのコストの低減を達成することが可能になる。
【００１７】
【発明の実施の形態】
以下、図面を参照しつつこの発明の実施の形態について説明する。
図１は、本発明の実施の形態における電動機の構造を示す軸方向断面図であり、図２は図１のＰ部拡大図である。また、図３は、この電動機においてハウジング１に形成された凹部３とパッキン５との嵌め合いを示す説明図である。
【００１８】
本実施の形態における電動機も、耐水性が要求される用途に使用される電動機であり、アルミニウム合金等からなる水密構造のハウジング１を有する。なお、この例における電動機の内部機構は公知の電動機と同様であるため、詳細な説明は省略する。
【００１９】
本実施の形態における電動機の特徴は、ケーブル２を外部に引き出す引出部の構造にある。この電動機も、従来の電動機と同様、ハウジング１内部に電力や信号等を供給するケーブル２は、このハウジング１に設けられた挿通孔４を通じて、外部の電力源あるいは制御盤等（図示省略）と接続されている。しかしながら、本実施の形態における電動機は、このケーブル２の引出部の防水を担うパッキン５が、従来例のように挿通孔４の外側開口４ａに配置されているのではなく、この挿通孔４の長手方向中間部に相当する位置のハウジング壁面（この例においては、ハウジング１内側に形成された円周段部１ａの端面１ｘ）に形成された凹部３の中に配置されている。
【００２０】
この凹部３は、図３に示すように、挿通孔４の長手方向に直交して、この挿通孔４の一部をハウジング１内に向かって開口させるように形成されている。従って、この凹部３の長手方向の形成面（壁面３ｘ，３ｘ）には、挿通孔４の凹部側開口４ｃ，４ｃがそれぞれ露出している。
【００２１】
また、パッキン５は、変形可能な材料（例えば、ゴム等の弾性を有する樹脂）を用いて略筒状に成形されており、その外周部（外径Ｄ）が、挿通孔４の凹部側開口４ｃ（開口径ｄ）より大きく、かつ、その軸方向長さＬが挿通孔４の長手方向の開口寸法ｌより大きく形成されている（Ｄ＞ｄ，Ｌ＞ｌ）。つまり、このパッキン５の長さＬは、凹部３の開口寸法ｌに対し、軸方向に適切な「つぶし代」ができるように設計されているのである。
【００２２】
従って、パッキン５が凹部３に嵌め入れられた場合、このパッキン５は軸方向に圧縮変形しながら挿入されることとなり、パッキン５の両端面５ａ，５ａが凹部３の長手方向の形成面（壁面３ｘ，３ｘ）にそれぞれ密着して、前記挿通孔の凹部側開口４ｃ，４ｃを密閉する。また、この軸方向の圧縮によって、パッキン５の内径が縮径し、その内部に挿通されるケーブル２の外径を締め付ける。
【００２３】
なお、このパッキン５を通してケーブル２を引き出すことにより、このパッキン５の凹部３からの脱落防止（抜け止め）が同時になされる。
【００２４】
以上の構成によって、本実施の形態における電動機は、従来の防水構造で使用されていたブラケットやねじ等を用いることなく、ケーブル２引出部の防水構造を実現することができる。
【００２５】
なお、本発明は、この実施の形態における例に限定されることなく、ケーブルの挿通孔を設ける位置に応じて、種々の変形が可能である。例えば、パッキンを嵌め入れるハウジング壁面の凹部は、必ずしもハウジングの内側に設ける必要はなく、ハウジング外側の壁面に設けても良い。凹部の断面形状も、この実施の形態における例に限定されるものではない。凹部の形状としては、凹部開口の寸法が底部の寸法より小さい、いわゆるアリ溝形状としても良く、逆に、凹部開口の寸法を底部の寸法より大きくしても良い。
【００２６】
また、パッキンの材質も特に限定されず、電動機が使用される環境に応じて適宜選択すれば良い。
【００２７】
また更に、本発明は、前記の実施の形態に限定されることなく、ハウジングとケーブルとを備え、このハウジングを貫通するケーブルの引出部を防水する必要のある機器全てに適用可能であることは勿論である。
【００２８】
【発明の効果】
以上詳述したように、本発明のケーブル引出部の防水構造によれば、ブラケットやねじ等を用いることなく、パッキンをハウジングに固定しつつ、ケーブルの外径を締め付けることができる。従って、本発明の電動機は、ケーブル引出部の防水に必要な部品点数が少なくかつ組付けも容易で、コストを低減することが可能になる。
【図面の簡単な説明】
【図１】本発明の実施の形態における電動機の構造を示す軸方向断面図である。
【図２】図１のＰ部拡大図である。
【図３】本発明の実施の形態の電動機における凹部３とパッキン５との嵌め合いを示す説明図である。
【図４】従来の電動機の構造を示す軸方向断面図である。
【図５】従来の電動機におけるケーブル引出部の防水構造を説明する模式的断面図である。
【符号の説明】
１  ハウジング
１ａ  円周段部
１ｘ  端面
２  ケーブル
３  凹部
３ｘ  凹部形成面（壁面）
４  挿通孔
４ａ  外側開口
４ｂ  内側開口
４ｃ  凹部側開口
５  パッキン
５ａ  端面
１４  挿通孔
１４ａ  段部
１５  パッキン
１６  ブラケット（押え板）
１７  ねじ
【図１】
2005012965.tif 000003
【図２】
2005012965.tif 000004
【図３】
2005012965.tif 000005
【図４】
2005012965.tif 000006
【図５】
2005012965.tif 000007